(57)【要約】【課題】粘着フィルムを収納し、使用時には適切に引き出すことができる粘着フィルム収納箱を提供する。【解決手段】粘着フィルム収納箱１０は、前板３０、底板３１、後板３２及び側板３４を少なくとも有し、上面が開口した本体部２０と、本体部２０の上面の開口を開閉可能な蓋部２１と、を有する。前板３０における、引き出される粘着フィルムＦと接触する部位の少なくとも一部には、接触した粘着フィルムＦのせん断剥離力が６．０Ｎ／２５ｍｍ以下となるせん断剥離力低減部１２０、１２１が設けられている。【選択図】図２
2019051973.tif 000002
【特許請求の範囲】
【請求項１】
粘着性のある粘着フィルムを巻回した巻回体を収納するための粘着フィルム収納箱であって、
前板、底板、後板及び側板を少なくとも有し、上面が開口した本体部と、
前記本体部の上面の開口を開閉可能な蓋部と、を有し、
前記前板における、引き出される粘着フィルムと接触する部位の少なくとも一部には、接触した粘着フィルムのせん断剥離力が６．０Ｎ／２５ｍｍ以下となるせん断剥離力低減部が設けられている、粘着フィルム収納箱。
【請求項２】
前記せん断剥離力低減部は、前記前板と前記粘着フィルムとの接触面積を低減する構造である、請求項１に記載の粘着フィルム収納箱。
【請求項３】
前記せん断剥離力低減部は、前記前板における粘着フィルムと接触する部位に凸部、凹部或いは凹凸部を設けた構造である、請求項２に記載の粘着フィルム収納箱。
【請求項４】
前記せん断剥離力低減部は、前記粘着フィルムと接触する部位の表面に、前記接触面積を低減する塗料が塗布された構造である、請求項２に記載の粘着フィルム収納箱。
【請求項５】
前記せん断剥離力低減部は、前記粘着フィルムと接触する部位の表面に、前記接触面積を低減する材質を有する構造である、請求項２に記載の粘着フィルム収納箱。
【請求項６】
前記せん断剥離力低減部は、前記前板における外面、内面及び上端の少なくとも一部に設けられている、請求項１〜５のいずれかに記載の粘着フィルム収納箱。
【請求項７】
前記せん断剥離力低減部は、前記前板の内面の左右方向の少なくとも両端付近の領域に設けられている、請求項６に記載の粘着フィルム収納箱。
【請求項８】
前記せん断剥離力低減部は、前記前板の外面の上端付近の領域に設けられている、請求項６又は７に記載の粘着フィルム収納箱。
【請求項９】
前記蓋部の先端には、切断部が設けられ、
前記せん断剥離力低減部は、前記前板の外面における、前記蓋部が前記本体部の開口を閉じたときの前記切断部に対応する位置よりも上側の領域に設けられている、請求項８に記載の粘着フィルム収納箱。
【請求項１０】
前記蓋部の先端には、切断部が設けられ、
前記せん断剥離力低減部は、前記前板の外面における、前記蓋部が前記本体部の開口を閉じたときの前記切断部に対応する位置に設けられ、それよりも上側の領域には、粘着フィルムを係止する係止部が設けられている、請求項８に記載の粘着フィルム収納箱。
【請求項１１】
前記前板の外面には、つまみ片が設けられ、
前記せん断剥離力低減部は、前記つまみ片に設けられている、請求項６〜１０のいずれかに記載の粘着フィルム収納箱。
【請求項１２】
前記せん断剥離力低減部は、前記前板の上端の左右方向の少なくとも中央付近の領域に設けられている、請求項６〜１１のいずれかに記載の粘着フィルム収納箱。
【請求項１３】
請求項１〜１２のいずれかに記載の粘着フィルム収納箱に巻回体が収納された粘着フィルム収納装置。
【発明の詳細な説明】
【技術分野】
【０００１】
本出願は、感染予防フィルムなどの粘着性の高い粘着フィルムを巻回して構成された巻回体を収納する粘着フィルム収納箱、及び粘着フィルム収納箱に巻回体が収納された粘着フィルム収納装置に関する。
【背景技術】
【０００２】
例えば医療現場では、医者が、患者を診察、治療しながら、パソコンに患者の情報を入力してカルテ等を作成することがある。この際、患者に触れた手でパソコンのキーボードに触れる場合もあり得る。万が一キーボードに患者の体液等が付着すると、医者や看護婦などの医療従事者間の感染等が懸念され好ましくない。
【先行技術文献】
【特許文献】
【０００３】
【特許文献１】特開２０１５−８３４８４号公報
【発明の概要】
【発明が解決しようとする課題】
【０００４】
そこで、例えばパソコンのキーボードの表面に粘着性の高い感染予防フィルムを貼付し、キーボードの使用後にそれを剥がして破棄することを考えている。
【０００５】
しかしながら、医療従事者が上述のような感染予防フィルムなどの粘着フィルムを簡便に使えるように、粘着フィルムを収納し、使用時には粘着フィルムを所望の長さに切断できるような粘着フィルムの収納容器は開発されていない。
【０００６】
従来よりラップフィルムを巻回したラップフィルムロールを収納するラップフィルム収納箱（特許文献１参照）がある。しかし、このラップフィルム収納箱を上述のような粘着性の高い粘着フィルムの収納に用いると、例えば粘着フィルムを箱から引き出す際に粘着フィルムが箱に接着しやすくなり、一旦接着すると粘着フィルムを引っ張り出すのに非常に大きな力が必要となる。この結果、粘着フィルムを適切に引き出せないなどの引出不良を起こすことがある。
【０００７】
本出願はかかる点に鑑みてなされたものであり、粘着フィルムを収納し、使用時には適切に引き出すことができる粘着フィルム収納箱及び粘着フィルム収納装置を提供することをその目的とする。
【課題を解決するための手段】
【０００８】
本発明者は、鋭意研究を重ねた結果、前板における、引き出される粘着フィルムと接触する部位の少なくとも一部に、接触した粘着フィルムのせん断剥離力が５．０Ｎ／２５ｍｍ以下となるせん断剥離力低減部を設けることで上記課題が解決されることを見出し、本発明を完成するに至った。即ち、本発明の態様は以下を含む。
【０００９】
（１）粘着性のある粘着フィルムを巻回した巻回体を収納するための粘着フィルム収納箱であって、前板、底板、後板及び側板を少なくとも有し、上面が開口した本体部と、前記本体部の上面の開口を開閉可能な蓋部と、を有し、前記前板における、引き出される粘着フィルムと接触する部位の少なくとも一部には、接触した粘着フィルムのせん断剥離力が６．０Ｎ／２５ｍｍ以下となるせん断剥離力低減部が設けられている、粘着フィルム収納箱。
（２）前記せん断剥離力低減部は、前記前板と前記粘着フィルムとの接触面積を低減する構造である、（１）に記載の粘着フィルム収納箱。
（３）前記せん断剥離力低減部は、前記前板における粘着フィルムと接触する部位に凸部、凹部或いは凹凸部を設けた構造である、（２）に記載の粘着フィルム収納箱。
（４）前記せん断剥離力低減部は、前記粘着フィルムと接触する部位の表面に、前記接触面積を低減する塗料が塗布された構造である、（２）に記載の粘着フィルム収納箱。
（５）前記せん断剥離力低減部は、前記粘着フィルムと接触する部位の表面に、前記接触面積を低減する材質を有する構造である、（２）に記載の粘着フィルム収納箱。
（６）前記せん断剥離力低減部は、前記前板における外面、内面及び上端の少なくとも一部に設けられている、（１）〜（５）のいずれかに記載の粘着フィルム収納箱。
（７）前記せん断剥離力低減部は、前記前板の内面の左右方向の少なくとも両端付近の領域に設けられている、（６）に記載の粘着フィルム収納箱。
（８）前記せん断剥離力低減部は、前記前板の外面の上端付近の領域に設けられている、（６）又は（７）に記載の粘着フィルム収納箱。
（９）前記蓋部の先端には、切断部が設けられ、前記せん断剥離力低減部は、前記前板の外面における、前記蓋部が前記本体部の開口を閉じたときの前記切断部に対応する位置よりも上側の領域に設けられている、（８）に記載の粘着フィルム収納箱。
（１０）前記蓋部の先端には、切断部が設けられ、前記せん断剥離力低減部は、前記前板の外面における、前記蓋部が前記本体部の開口を閉じたときの前記切断部に対応する位置に設けられ、それよりも上側の領域には、粘着フィルムを係止する係止部が設けられている、（８）に記載の粘着フィルム収納箱。
（１１）前記前板の外面には、つまみ片が設けられ、前記せん断剥離力低減部は、前記つまみ片に設けられている、（６）〜（１０）のいずれかに記載の粘着フィルム収納箱。
（１２）前記せん断剥離力低減部は、前記前板の上端の左右方向の少なくとも中央付近の領域に設けられている、（６）〜（１１）のいずれかに記載の粘着フィルム収納箱。
（１３）（１）〜（１２）のいずれかに記載の粘着フィルム収納箱に巻回体が収納された粘着フィルム収納装置。
【発明の効果】
【００１０】
本発明によれば、粘着フィルムを収納し、使用時には適切に引き出すことができる。
【図面の簡単な説明】
【００１１】
【図１】粘着フィルム収納装置の外観の一例を示す斜視図である。
【図２】蓋部を開放したときの粘着フィルム収納装置を示す斜視図である。
【図３】巻回体と粘着フィルム収納箱の構成を示す斜視図である。
【図４】粘着フィルム収納箱の表面側の展開図である。
【図５】粘着フィルム収納箱の側部の構成を示す説明図である。
【図６】粘着フィルム収納装置の断面図である。
【図７】前板の高さを説明するための粘着フィルム収納箱の縦断面の説明図である。
【図８】開封片を切り取る際の粘着フィルム収納箱の斜視図である。
【図９】前板の内面を示す説明図である。
【図１０】前板の塗料の塗布領域を示す説明図である。
【図１１】粘着フィルムが前板の内面に接触した状態を示す模式図である。
【図１２】前板の塗料の塗布領域の他の例を示す説明図である。
【図１３】前板の他の態様を示す模式図である。
【図１４】前板の他の態様を示す模式図である。
【図１５】前板の他の態様を示す模式図である。
【発明を実施するための形態】
【００１２】
本発明の実施の形態について、以下具体的に説明する。なお、以下の実施の形態は、本発明を説明するための例示であり、本発明はその実施の形態のみに限定されるものではない。同一の要素には同一の符号を付し、重複する説明は省略する。また、図面中、上下左右等の位置関係は、特に断らない限り、図面に示す位置関係に基づくものとする。さらに、図面の寸法比率は、図示の比率に限定されるものではない。
【００１３】
図１は、本実施の形態にかかる粘着フィルム収納装置１の一例を示す斜視図である。図２は、粘着フィルム収納装置１を開封した状態の斜視図である。
【００１４】
粘着フィルム収納装置１は、粘着フィルム収納箱１０と、粘着フィルムＦの巻回体１１を有している。なお、本明細書において、「粘着フィルム」とは、粘着力（ＪＩＳ０２３７準拠１８０度剥離力）が０．０１Ｎ／２５ｍｍ以上、１．５Ｎ／２５ｍｍ以下の粘着性があるフィルムをいう。
【００１５】
粘着フィルム収納箱１０は、全体が例えば直方体形状を有している。粘着フィルム収納箱１０は、図３及び図４に示すように本体部２０と蓋部２１を有している。本体部２０は、例えば前板３０と、底板３１と、後板３２と、前板脇片３３と、側板３４と、延出片３５と、後板脇片３６等を有している。前板３０は、前板３０の内面を有する折り返し裏板３７と、前板３０の外面を有する外面板３８を備えている。蓋部２１は、例えば天板４０と、掩蓋片４１と、天板脇片４２と、掩蓋脇片４３及び開封片４４等を有している。
【００１６】
本体部２０は、図３に示すように上面が開口した直方体状に形成されている。前板３０、底板３１、後板３２及び側板３４は、それぞれ方形状に形成され、本体部２０の５つの各面を構成している。
【００１７】
図４に示すように後板脇片３６は、後板３２の左右方向（図４のＡ方向）の両端に接続されている。前板脇片３３は、前板３０の左右方向の両端に接続されている。折り返し裏板３７は、前板３０の外面板３８の幅方向（図４のＢ方向）の一端に接続されている。図３に示すように後板脇片３６は、側板３４側に折り返されて、側板３４の外面を覆い、側板３４の外面に接着されている。前板脇片３３は、側板３４側に折り返されて後板脇片３６と側板３４との間に介在され、側板３４の外面に接着されている。折り返し裏板３７は、前板３０の裏面側に折り返されて前板３０の外面板３８の裏面に接着されている。
【００１８】
延出片３５は、図４に示すように略長方形の板状に形成され、両側の各側板３４の長手方向の外側端に接続されている。延出片３５は、図３、図５、図６に示すように側板３４の上部から本体部２０の内部に折り込まれ、本体部２０の中心側に延出している。
【００１９】
延出片３５は、図２及び図６に示すように各側板３４の上端から本体部２０の巻回体１１の芯管１００の内部まで延出し、巻回体１１を両端から中心側に押すことができる。なお、粘着フィルム収納装置１を組み立てる際に、図３に示すように巻回体１１を上から本体部２０に収納することにより、延出片３５が巻回体１１の芯管１００の内部に入り込む。
【００２０】
図５に示すように各側板３４の上端の中央には、側板３４の外側に突出する突出部６０が形成されている。突出部６０は、図４に示すように側板３４の上部に切り込み６１を形成し、その切り込み６１の内側領域を立ち上げることによって形成されている。突出部６０の基端（側板３４の上端）となる部分には、点線状の切れ線６２が形成され、突出部６０が外側に折り曲げられている。かかる構成により、突出部６０は、図６に示すように本体部２０の開口が閉鎖された時の蓋部２１の内面に当接する。
【００２１】
各側板３４の中央には、本体部２０の内部に突出する折り込み部７０が形成されている。折り込み部７０は、例えば下に凸の舌状（略半円状）に形成され、上端に折り線７１が形成されている。折り込み部７０は、巻回体１１の芯管１００内に折り込まれ、この折り込み部７０によって巻回体１１が保持され、その結果巻回体１１が本体部２０から飛び出ることを抑制できる。折り込み部７０が折り込まれることにより、側板３４に開口部７２が形成されるが、この開口部７２は、後板脇片３６或いは前板脇片３３により閉鎖されている。
【００２２】
図３乃至図５に示すように後板３２と側板３４は、同程度の高さに形成され、前板３０は、後板３２と側板３４よりも低く形成されている。前板３０は、粘着フィルム収納箱１０の長手方向に沿って高さが一定の長方形状の板状に形成されている。前板３０は、図７に示すように例えば巻回体１１の芯管１００の外径Ｒ２の５０％〜９０％、好ましくは、５５〜８５％、さらに好ましくは６０〜８０％の高さＨを有している。また、前板３０の高さＨは、後板３２及び側板３４の半分以下の高さであってもよい。また前板３０の高さが低いことによって生じる本体部２０の前面の開口部の上下幅が後板３２及び側板３４の半分以上あってもよい。前板３０の中央には、下に凸に湾曲する切れ目が形成され、それによってつまみ片１１０が形成されている。つまみ片１１０は、下部が前方に突出し、粘着フィルムＦの先端を保持する。
【００２３】
図７に示すように蓋部２１の天板４０は、後板３２の上縁部から前方に延びて本体部２０の上面を覆っている。掩蓋片４１は、天板４０の前縁部から前面（前板３０）側に延びている。掩蓋片４１の先端部は、少なくとも前板３０の一部に重なっている。例えば掩蓋片４１の先端部の裏側には、図２及び図３に示すように本体部２０内の巻回体１１から引き出された粘着フィルムＦを切断する切断部としての鋸刃状の切断刃９０が設けられている。
【００２４】
図１に示すように粘着フィルム収納装置１が使用される前は、粘着フィルム収納箱１０は、蓋部２１の掩蓋片４１の先端に接続された開封片４４によって封止されている。開封片４４は、本体部２０の前板３０の前面に位置し、粘着フィルム収納箱１０の長手方向に沿って帯状に形成されている。開封片４４は、掩蓋片４１の先端に切り取り線９１を介して切り取り可能に連結され、なおかつ前板３０の表面の複数箇所に接着されている。粘着フィルム収納箱１０の開封時には、図８に示すように開封片４４を箱の長手方向に沿って切り取ることで蓋部２１を開けることができる。
【００２５】
図４に示すように前板３０における、引き出される粘着フィルムＦと接触する部位の少なくとも一部には、接触した粘着フィルムＦのせん断剥離力（せん断剥離強度）が６．０Ｎ／２５ｍｍ以下となるせん断剥離力低減部１２０、１２１が設けられている。なお、せん断剥離力低減部１２０、１２１の粘着フィルムＦに対するせん断剥離力は、３．０Ｎ／２５ｍｍ以下であればより好ましく、１．０Ｎ／２５ｍｍ以下であればさらに好ましい。
【００２６】
せん断剥離力低減部１２０、１２１の粘着フィルムＦとのせん断剥離力は、次の測定方法で測定されたものとする。粘着フィルムを幅２５ｍｍ、長さ１００ｍｍに切断し、フィルム試験片を作成する。測定する前板３０の紙片も同様に幅２５ｍｍ、長さ１００ｍｍに切断し、紙試験片を作成する。接触面積が１２．５ｍｍ×２５ｍｍとなるように、フィルム試験片の粘着面と紙試験片の測定面を重ねあわせたのち、ＪＩＳ  Ｚ０２３７に準じた２ｋｇローラーで２往復してフィルム試験片と紙試験片を圧着させる。次に、フィルム試験片と紙試験片を３００ｍｍ／ｍｉｎでせん断剥離させ、そのときの荷重をせん断剥離力とする。この測定は２３℃、５０％ＲＨの雰囲気下で行う。
【００２７】
第１のせん断剥離力低減部１２０は、例えば図４及び図９に示すように前板３０の内面、すなわち折り返し裏板３７の内面３０ｃに設けられている。第１のせん断剥離力低減部１２０は、例えば前板３０と粘着フィルムＦとの接触面積を低減する構造を有し、折り返し裏板３７の内面３０ｃに複数の凸部１３０を設けた構造である。凸部１３０は、例えば前板３０の左右方向の両端部間に亘って複数例、例えば２列に設けられている。各凸部１３０は、例えば方形である。各凸部１３０は、０．０５ｍｍ以上、好ましくは０．１ｍｍ〜０．３ｍｍの段差を有する。各凸部１３０の径は０．５ｍｍ〜１０ｍｍ、好ましくは１ｍｍ〜８ｍｍ、より好ましくは２ｍｍ〜６ｍｍである。凸部１３０の径が０．５ｍｍ以上であれば紙表面の罫割れが起こりにくく、凸部１３０の段差を安定して出しやすい。凸部１３０の径が１０ｍｍ以下であれば、粘着フィルムＦとの接触面積を効率よく減らすことができる。また、隣り合う凸部１３０同士の間隔は２ｍｍ〜６ｍｍが好ましく、より好ましくは３ｍｍ〜５ｍｍである。凸部１３０の間隔が２ｍｍ以上であれば紙表面の罫割れが起こりにくく、６ｍｍ以下であれば接触面積を効率よく減らすことができる。
【００２８】
図１０に示すように第２のせん断剥離力低減部１２１は、粘着フィルムＦと接触する部位の表面に、接触面積を低減する塗料Ｐが塗布された構造を有する。塗料Ｐとしては、例えばニスやインキが使用される。より具体的には、塗料Ｐとして、はじきニス（疑似エンボスニス）や、微細粒子を配合したニス、ちぢみ印刷等を用いてもよい。例えば前板３０の内面である折り返し裏板３７の内面３０ｃの全面と、前板３０と折り返し裏板３７の接続部である上端３０ｂの全体と、前板３０の外面である外面板３８の外面３０ａの一部の領域Ｓ１に塗料Ｐが塗布されている。塗料Ｐの処方や塗工条件を適宜調整し、塗料Ｐの塗工面の算術平均粗さＳａが１．０μｍ以上、かつＶｍｐ/（Ｖｖｃ＋Ｖｖｖ）の値が０．０２０以上となるように塗布するのが、接触面積を低減する上で好ましい。ここでＶｍｐ、Ｖｖｃ、Ｖｖｖは体積パラメータで、コア部と突出山部を分離する負荷面積率を１０％、コア部と突出谷部を分離する負荷面積率を８０％としたときの、山部の実体体積、コア部の中空体積、谷部の中空体積を指す。
【００２９】
前板３０の外面３０ａには、例えば上端３０ｂから下方に５ｍｍの範囲の上端付近の領域に塗料Ｐが塗布されている。外面３０ａには、蓋部２１が本体部２０の開口を閉じたときの切断刃９０に対応する位置よりも上側の領域に塗料Ｐが塗布されている。
【００３０】
また、前板３０の外面３０ａには、つまみ片１１０の表面及びその周辺に、塗料Ｐが塗布されている。つまみ片１１０の周辺には、塗料Ｐが、上底が短く下底が長い台形状に塗布されている。なお、前板３０の外面３０ａの領域Ｓ１以外の領域Ｓ２には、領域Ｓ１に比べて粘着フィルムＦとの粘着性が高くなるニスなどが塗布されている。
【００３１】
なお、粘着フィルム収納箱１０を構成する原紙としては、例えば、ボール紙、コートボール紙、段ボール等が挙げられるが、これらに限定されず、当業界で公知の紙類を適宜選択して用いることができる。
【００３２】
図３に示すように巻回体１１は、例えば感染予防フィルムなどの粘着性のある粘着フィルムＦが円筒状の紙製の芯管１００に巻かれて構成されている。なお、感染予防フィルムとは、病院内で複数の医療関係者が接触する電子カルテキーボードや操作盤を有する各種検査機器などにおいて、菌やウイルスの付着、血液や嘔吐物、その他体液の付着を防止し、医療関係者間の交差感染を予防するフィルムを言う。
【００３３】
巻回体１１は、例えば１００ｍｍ以上の長手方向の幅を有し、芯管１００の直径が２５ｍｍ〜４０ｍｍ程度である。
【００３４】
粘着フィルムＦは、少なくとも一部に粘着層を含んでおり、粘着層の粘着力（ＪＩＳ０２３７準拠１８０度剥離力）が、０．０１Ｎ／２５ｍｍ以上、１．５Ｎ／２５ｍｍ以下のものである。
【００３５】
巻回体１１は、芯管１００と粘着フィルムＦの長手方向Ａの長さが同じで芯管１００と粘着フィルムＦの端面が揃っているものであってもよいし、芯管１００の長手方向Ａの長さが粘着フィルムＦの長手方向Ａの長さよりも長く芯管１００と粘着フィルムＦの端面がずれているものであってもよい。前者は、例えば十分に長い芯管１００に粘着フィルムＦを巻回し、その後芯管１００を切って所定長さの巻回体１１を製造した場合のものであり、後者は、例えば所定長さに予め切った芯管１００に粘着フィルムＦを巻回して巻回体１１を製造した場合のものである。
【００３６】
粘着層を構成する粘着剤としては、特に限定されないが、例えば、アクリル系粘着剤、ゴム系粘着剤、シリコーン系粘着剤、ウレタン系粘着剤が挙げられ、中でも、アクリル系粘着剤、ウレタン系粘着剤が好ましく、アクリル系粘着剤が特に好ましい。
【００３７】
アクリル系粘着剤では主モノマーに対してコモノマーを添加して凝集力を調整したり、官能基含有モノマーを添加して架橋点を設けて粘着剤の硬さを調整し目的の粘着力を発現させることができる。主モノマーとしては特に限定されないが、例えば、（メタ）アクリル酸メチル、（メタ）アクリル酸エチル、（メタ）アクリル酸ブチル、（メタ）アクリル酸２−エチルヘキシル等の各種（メタ）アクリル酸アルキルが挙げられ、これらを単独もしくは組合せて使用できる。コモノマーとしては、特に限定されないが、例えば、酢酸ビニル、アクリロニトリル、アクリルアミド、スチレン、メタクリル酸メチル、アクリル酸メチルが挙げられる。官能基含有モノマーとしては、特に限定されないが、例えば、アクリル酸、アクリル酸ヒドロキシエチル、アクリルアミド、メタクリル酸グリシジルなどが挙げられる。さらにロジンやテルペン類、脂肪族及び芳香族合成樹脂等のタッキーファイヤーを添加し、粘着力を調整することができる。粘着剤には他に、安定剤、酸化防止剤、光安定化剤、紫外線吸収材剤、などを添加してもよい。
【００３８】
また、粘着フィルムは、基材フィルムを含み、基材フィルムは、例えば流れ方向（ＭＤ方向）の２％歪み弾性率及び幅方向（ＴＤ方向）の２％歪み弾性率が１９０〜６００ＭＰａ、並びに流れ方向（ＭＤ方向）及び幅方向（ＴＤ方向）の引張伸びが６０〜２００％を満たす基材フィルムであってもよい。
【００３９】
以上のように構成された粘着フィルム収納装置１の使用時には、先ず図８に示すように開封片４４を切り取り、粘着フィルム収納箱１０を開封する。次に巻回体１１の粘着フィルムＦを粘着フィルム収納箱１０の前方側に引き出す。そして図７に示すように蓋部２１を閉じた状態で、例えば粘着フィルムＦを粘着フィルム収納箱１０に対し上方に引っ張ることにより、切断刃９０により粘着フィルムＦを所定の長さに切断する。
【００４０】
本実施の形態によれば、粘着フィルムＦの収納、使用に優れた粘着フィルム収納箱１０を実現できる。また、前板３０における、引き出される粘着フィルムと接触する部位の少なくとも一部に、接触した粘着フィルムＦのせん断剥離力が６．０Ｎ／２５ｍｍ以下となるせん断剥離力低減部１２０、１２１が設けられている。このため、粘着フィルムＦが引き出される際に、図１１に示すように粘着フィルムＦが前板３０に接触し粘着した際にも、粘着フィルムＦを強い力で引っ張る必要はなく、粘着フィルムＦを適切に引き出すことができる。特に、粘着フィルムＦは、重力で前板３０の内面３０ｃ側に落ち込み、前板３０の内面３０ｃに接着しやすいが、本実施の形態によれば、その後の粘着フィルムＦの引き出しを適切に行うことができる。
【００４１】
せん断剥離力低減部１２０、１２１は、前板３０と粘着フィルムＦとの接触面積を低減する構造であるので、粘着フィルムＦのせん断剥離力を簡単な構造で低減できる。
【００４２】
せん断剥離力低減部１２０は、前板３０における粘着フィルムＦと接触する部位に凸部１３０を設けた構造であるので、粘着フィルムＦのせん断剥離力の低減をより簡単な構造で効果的に実現できる。なお、凸部１３０の代わりに、凹部、或いは凹凸部を設けてもよい。
【００４３】
せん断剥離力低減部１２１は、粘着フィルムと接触する部位の表面に、接触面積を低減する塗料Ｐが塗布された構造であるので、せん断剥離力低減部１２１を広範囲に漏れなく簡単に形成できる。
【００４４】
せん断剥離力低減部１２０、１２１は、前板３０における外面３０ａ、内面３０ｃ及び上端３０ｂの少なくとも一部に設けられている。これにより、せん断剥離力低減部１２０、１２１が、前板３０の粘着フィルムＦが接触しやすい部分に設けられており、粘着フィルムＦを適切に引き出すことができる。
【００４５】
粘着フィルムＦの中央をつまんで引き出したとき、粘着フィルムＦは前板３０の内面３０ｃの両端付近で特に接着しやすくなるので、せん断剥離力低減部１２０、１２１を前板３０の内面３０ｃの左右方向の少なくとも両端付近の領域に設けることにより、粘着フィルムＦの引き出しを好適に行うことができる。なお、両端付近とは、前板３０の端から５０ｍｍ以内の領域をいう。なお、本実施の形態のように、せん断剥離力低減部１２０、１２１が、前板３０の内面３０ｃの左右方向の全体に亘り設けられているとより好ましい。
【００４６】
粘着フィルムＦを引き出したとき、粘着フィルムＦは前板３０の外面３０ａの上端付近で特に接着しやすくなる。よって、せん断剥離力低減部１２１を前板３０の外面３０ａの上端付近の領域に設けることにより、粘着フィルムＦの引き出しを好適に行うことができる。なお、上端付近とは、前板３０の上端から１０ｍｍ以内の領域をいう。
【００４７】
せん断剥離力低減部１２１は、前板３０の外面３０ａにおける、蓋部２１が本体部２０の開口を閉じたときの切断刃９０の位置よりも上側の領域に設けられている。これにより、前板３０の外面３０ａにおける切断刃９０に対応する部分には、せん断剥離力低減部１２１が設けられておらず、この部分には、粘着フィルムＦが接着しやすくなる。この結果、粘着フィルムＦが巻き戻ることも防止できる。
【００４８】
せん断剥離力低減部１２１がつまみ片１１０にも設けられているので、つまみ片１１０に粘着フィルムＦが接触した際にも粘着フィルムＦの引き出しを適切に行うことができる。
【００４９】
粘着フィルムＦの中央をつまんで引き出したとき、粘着フィルムＦは前板３０の上端３０ｂの中央付近で摩擦が大きくなる。本実施の形態において、せん断剥離力低減部１２１が、前板３０の上端３０ｂの左右方向の少なくとも中央付近の領域に設けられているので、粘着フィルムＦの引き出しを好適に行うことができる。なお、中央付近とは、前板３０の左右方向の中心から１０ｍｍ以内の領域をいう。なお、本実施の形態のように、せん断剥離力低減部１２１が、前板３０の上端３０ｂの左右方向の全体に亘り設けられているとより好ましい。
【００５０】
以上の実施の形態において、図１２に示すようにせん断剥離力低減部１２１は、前板３０の外面３０ａにおける、蓋部２１が本体部２０の開口を閉じたときの切断刃９０に対応する位置に設けられ、それよりも上側の領域には、粘着フィルムＦを係止する係止部１４０が設けられていてもよい。せん断剥離力低減部１２１は、例えば前板３０の内面である折り返し裏板３７の内面３０ｃの全面と、前板３０と折り返し裏板３７の接続部である上端３０ｂの全体と、前板３０の外面である外面板３８の外面３０ａの一部の領域Ｓ１に塗料Ｐが塗布されて形成されている。塗料Ｐは、前板３０の外面３０ａにおいて、上端３０ｂ付近の５ｍｍ幅の領域Ｓ３と、蓋部２１が本体部２０の開口を閉じたときの切断刃９０に対応する位置の上下１ｍｍ〜２ｍｍの幅の領域Ｓ４に塗布される。また、係止部１４０は、前板３０の外面３０ａにおいて塗料Ｐの領域Ｓ４よりも上側の領域Ｓ５に、塗料Ｐに比べて粘着フィルムＦとの粘着性が高くなるニスなどが塗布されて形成されている。このとき、つまみ片１１０は、粘着性が高いニスが塗布され、係止部１４０となってもよい。また、領域Ｓ４の下側の領域Ｓ６には、塗布されるニスは特に限定されないが、一般的な剥離ニスとニス抜き部が適宜組み合わせて塗布される。これにより、開封前の開封片４４が適切に接着され、かつ使用開始時には開封片４４が前板３０から容易に剥離することができる。かかる場合、切断刃９０で切断された粘着フィルムＦの端部がせん断剥離力低減部１２１に位置するので、粘着フィルムＦの端部をつまんだ際のフィルムの裂けを抑制することができる。また、係止部１４０により、粘着フィルムＦの巻き戻りも抑制することができる。なお、領域Ｓ４は、細長方形状の全面塗布でなくても、点状の塗布であってもよい。また、つまみ片１１０の周辺領域には、塗料Ｐが塗布され、せん断剥離力低減部１２１となっていてもよい。
【００５１】
以上の実施の形態において、せん断剥離力低減部は、粘着フィルムＦと接触する部位の表面に、接触面積を低減する材質を有する構造であってもよい。接触面積を低減する材質は、例えば紙の繊維が露出した表面に細かい凹凸のある原紙であってもよい。この場合、例えば図１３に示すように前板３０が折り返し裏板３７を備えず、コーティングやニスなどの表面処理を行っていない前板３０の外面板３８の裏面を前板３０の内面３０ｃとして露出させてもよい。また、図１４に示すように折り返し裏板３７を前方側に折り返して、コーティングやニスなどの表面処理を行っていない折り返し裏板３７の裏面を前板３０の外面３０ａとして、前板３０の外面板３８の裏面を前板３０の内面３０ｃとして露出させてもよい。さらに、図１５に示すように折り返し裏板３７を前板３０の裏面側に折り返し、さらにその折り返し裏板３７の先端側を延長し三重に折り返して、折り返し裏板３７の裏面を前板３０の内面３０ｃとして露出させたものであってもよい。なお、接触面積を低減する材質としては、これに限られない。
【００５２】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００５３】
例えばせん断剥離力を６．０Ｎ／２５ｍｍ以下とする方法は、上記方法に限られない。例えば前板３０の裏側へ突出するような切欠きを設けるなどして、せん断剥離力を６．０Ｎ／２５ｍｍ以下としてもよい。また、せん断剥離力を低減する複数の方法を併用してもよい。
【００５４】
以上の実施の形態において記載した粘着フィルム収納箱１０の構成はこれに限られない。例えば延出片３５、つまみ片１１０等がないものにも本発明は適用できる。
【実施例】
【００５５】
（引出性の評価）
フィルムの中央をつまんで前板の上端と同じ高さを保ちながら水平に引き出した時の引出感で評価した。評価条件と評価結果を表１、表２に示す。
◎：とても適切に引き出すことができる。
○：適切に引き出すことができる。
△：やや適切に引き出すことができる。
×：適切に引き出すことができない。
【００５６】
（実施例１）
ＪＥＴスター（日本製紙製）に図１０の塗工パターンにて疑似エンボスニスを塗工し、図４の形状に切り出したものを箱型に組み立て、粘着フィルムロールを挿入し、引出性の評価を行った。
【００５７】
（実施例２）
実施例１のＪＥＴスターをサンコート（王子マテリア製）に変えた以外は実施例１と同じ要領にて評価を行った。
【００５８】
（実施例３）
実施例１の疑似エンボスニスを樹脂粒子配合ニスに変えた以外は実施例１と同じ要領にて評価を行った。
【００５９】
（実施例４）
ＪＥＴスター（日本製紙製）に図１０の塗工パターンにて疑似エンボスニスを塗工し、図１５の形状となるよう切り出したものを箱型に組み立て、粘着フィルムロールを挿入し、引出性の評価を行った。
【００６０】
（実施例５）
ＪＥＴスター（日本製紙製）に図１０の塗工パターンにて疑似エンボスニスを塗工し、前板３０の内面に図１０に示すような凸部（３×４ｍｍの方形、深さ０．２２ｍｍ、凸部間距離３ｍｍ）を付与し、図４の形状に切り出したものを箱型に組み立て、粘着フィルムロールを挿入し、引出性の評価を行った。
【００６１】
（実施例６）
ＪＥＴスター（日本製紙製）に図１０の塗工パターンにて疑似エンボスニスを塗工し、前板３０の内面に図１０に示すような凸部（１．５×２ｍｍの方形、深さ０．１６ｍｍ、凸部間距離３ｍｍ）を付与し、図４の形状に切り出したものを箱型に組み立て、粘着フィルムロールを挿入し、引出性の評価を行った。
【００６２】
（実施例７）
ＪＥＴスター（日本製紙製）に図１０の塗工パターンにてＦＤ  ＨＳ剥離ＯＰニスＳＭ（東洋インキ製）を塗工し、前板３０の内面に図１０に示すような凸部（３×４ｍｍの方形、深さ０．２２ｍｍ、凸部間距離３ｍｍ）を付与し、図４の形状に切り出したものを箱型に組み立て、粘着フィルムロールを挿入し、引出性の評価を行った。
【００６３】
（実施例８）
ＪＥＴスター（日本製紙製）に図１０の塗工パターンにてシリコーンを塗工し、前板３０の内面に図１０に示すような凸部（３×４ｍｍの方形、深さ０．２２ｍｍ、凸部間距離３ｍｍ）を付与し、図４の形状に切り出したものを箱型に組み立て、粘着フィルムロールを挿入し、引出性の評価を行った。
【００６４】
（比較例１）
実施例１の疑似エンボスニスをＦＤ  ＨＳ剥離ＯＰニスＳＭ（東洋インキ製）に変えた以外は実施例１と同じ要領にて評価を行った。
【００６５】
（比較例２）
実施例１の疑似エンボスニスをＦＤクリアコートニス（東洋インキ製）に変えた以外は実施例１と同じ要領にて評価を行った。
【００６６】
（比較例３）
実施例１の疑似エンボスニスを塩ビシートに変えた以外は実施例１と同じ要領にて評価を行った。
【００６７】
（比較例４）
実施例１の疑似エンボスニスをシリコーンに変えた以外は実施例１と同じ要領にて評価を行った。
【００６８】
【表１】
2019051973.tif 000003
【００６９】
【表２】
2019051973.tif 000004
【産業上の利用可能性】
【００７０】
本発明は、粘着フィルムを収納し、使用時には適切に引き出すことができる粘着フィルム収納箱及び粘着フィルム収納装置を提供する際に有用である。
【符号の説明】
【００７１】
１  粘着フィルム収納装置
１０  粘着フィルム収納箱
１１  巻回体
２０  本体部
２１  蓋部
３０  前板
３２  後板
３４  側板
１００  芯管
１２０、１２１  せん断剥離力低減部
Ｆ  粘着フィルム
【図１】
2019051973.tif 000005
【図２】
2019051973.tif 000006
【図３】
2019051973.tif 000007
【図４】
2019051973.tif 000008
【図５】
2019051973.tif 000009
【図６】
2019051973.tif 000010
【図７】
2019051973.tif 000011
【図８】
2019051973.tif 000012
【図９】
2019051973.tif 000013
【図１０】
2019051973.tif 000014
【図１１】
2019051973.tif 000015
【図１２】
2019051973.tif 000016
【図１３】
2019051973.tif 000017
【図１４】
2019051973.tif 000018
【図１５】
2019051973.tif 000019